(57)【要約】【課題】制御する内線電話機の種類に応じた内線電話機の画像を表示手段に表示することができ、操作が容易な通信端末及び通信システムを提供することを目的とする。【解決手段】複数の内線電話機及び構内交換機を有する通信システムに接続される通信端末であって、複数種類の内線電話機の画像データを格納する記憶手段と、表示手段に表示する内線電話機の種類に基いて、記憶手段に格納された画像データのうちから一つの画像データを選択し、選択した画像データを記憶手段から取り出して表示手段に表示する制御手段とを有するものであり、制御する内線電話機の種類に応じた内線電話機の画像を表示手段に表示するという効果を有する。【選択図】図１５
2005269032.tif 000002
【特許請求の範囲】
【請求項１】
複数の内線電話機及び構内交換機を有する通信システムに接続される通信端末であって、
複数種類の内線電話機の画像データを格納する記憶手段と、
表示手段に表示する内線電話機の種類に基いて、前記記憶手段に格納された画像データのうちから一つの画像データを選択し、選択した画像データを前記記憶手段から取り出して表示手段に表示する制御手段と、を有することを特徴とする通信端末。
【請求項２】
前記内線電話機の第１の表示部分及び／又は第２の表示部分に表示する文字を入力するための入力手段を有し、
前記制御手段は、前記画像データを表示している状態で、前記入力手段により入力した文字を前記表示手段に表示し、更に前記入力手段に入力した文字を前記内線電話機の第１の表示部分及び／又は前記第２の表示部分に表示させるために前記文字のデータを送信することを特徴とする通信端末。
【請求項３】
前記制御手段は、前記入力手段により入力した文字を前記表示手段に表示した画像データの前記第１の表示部分及び／又は第２の表示部分に対応する部分に表示することを特徴とする請求項２に記載の通信端末。
【請求項４】
前記制御手段は、前記内線電話機において第２の表示部分に対応するボタンの操作が行なわれた旨の情報を受信する受信手段を有し、
前記受信手段で前記内線電話機において第２の表示部分に対応するボタンの操作が行なわれた旨の情報を受信すると、前記表示手段にその旨を表示することを特徴とする請求項２又は請求項３に記載の通信端末。
【請求項５】
前記制御手段は、前記通信装置と対になる内線電話機を、前記入力手段で入力する文字を表示させる内線電話機として選択することを特徴とする請求項２から請求項４のいずれかに記載の通信端末。
【請求項６】
前記制御手段は、前記入力手段で入力され、前記第１の表示部分に表示される文字を発信用電話番号として送信することを特徴とする請求項５のいずれかに記載の通信端末。
【請求項７】
前記制御手段は、発信した内線電話機が通話中であると判定すると該内線電話機を、前記入力手段で入力する文字を表示させる内線電話機として選択することを特徴とする請求項２から請求項６のいずれか記載の通信端末。
【請求項８】
前記制御手段は、構内交換機から前記内線電話機の画像データを受信し前記記憶手段に蓄積することを特徴とする請求項２から７のいずれかに記載の通信端末。
【請求項９】
前記制御手段は、構内交換機から追加の画像データの存在通知を受信すると、前記構内交換機に前記追加の画像データを要求することを特徴とする請求項２から８のいずれかに記載の通信端末。
【請求項１０】
ＬＡＮインタフェースを有し、
前記制御手段は、前記ＬＡＮインタフェースを介して構内交換機と通信することを特徴とする請求項２から９のいずれか記載の通信端末。
【請求項１１】
ＵＳＢインタフェースを有し、
前記制御手段は、前記ＵＳＢインタフェースを介し前記内線電話機を経由して構内交換機と通信することを特徴とする請求項２から１０のいずれか記載の通信端末。
【請求項１２】
前記制御手段は、前記画像データの色を変更する画像処理手段を有することを特徴とする請求項２から１１のいずれかに記載の通信端末。
【請求項１３】
請求項２から１２のいずれか記載の通信装置と、内線電話機及び構内交換機を備えたことを特徴とする通信システム。
【請求項１４】
複数の内線電話機、通信端末及び構内交換機を有する通信システムにおいて、
前記内線電話機は、文字を表示させるための第１の表示部分又は第２の表示部分を有する表示手段と、
前記第２の表示部分に表示された文字に対応する動作を要求するための入力手段と、
前記入力手段への入力情報を前記構内交換機に送信する送信手段とを有し、
前記通信端末は、それぞれ異なる外観を有する複数の前記内線電話機の画像データを格納する記憶手段と、
前記内線電話機の第１の表示部分及び第２の表示部分に表示する文字を入力するための入力手段と、
前記入力手段により入力する文字を表示させる内線電話機が選択されると、前記記憶手段から選択された内線電話機の画像データを表示すると共に、前記入力手段により入力した文字を前記画像データの前記第１の表示部分及び第２の表示部分に対応する部分に表示する表示手段と、
前記入力手段に入力した文字を前記内線電話機の第１の表示部分及び前記第２の表示部分に表示させるために前記文字のデータを前記構内交換機に送信する送信手段と、
前記内線電話機の前記入力手段への入力があった旨を前記表示手段に表示するために、前記構内交換機から、前記内線電話機の入力手段への入力情報を受信する受信手段とを有し、
前記構内交換機は、前記通信端末から受信した前記文字のデータを前記内線電話機に送信すると共に、前記内線電話機の入力手段への入力情報を前記通信端末に送信する送信手段とを備えたことを特徴とする通信システム。
【発明の詳細な説明】
【技術分野】
【０００１】
本発明は、構内交換機に接続される内線電話機に対応する画像データを表示する通信端末及び通信システムに関する。
【背景技術】
【０００２】
従来、構内交換機に接続された内線電話機に発信する場合、発信先の内線電話機が話中であると、発信元の内線電話機から発信先の内線電話機にメッセージを知らせることが出来ない。この問題を解決するために、キャッチホン制御により通話中の発信先内線電話機を一旦保留状態にさせて、発信元と発信先の内線電話機を接続することができる（例えば、特許文献１参照）。
【特許文献１】特開平６−２４４９４５号公報
【発明の開示】
【発明が解決しようとする課題】
【０００３】
上述のようなキャッチホン制御の場合、発信先の内線電話機が応答しない限り、発信元の内線電話機は、発信先の内線電話機との間でメッセージのやり取りができない。
【０００４】
そこで、本発明は、制御する内線電話機の種類に応じた画像を通信端末に表示させることにより、発信元の内線電話機等とメッセージのやり取りを行なうことができる通信端末及び通信システムを提供することを目的とする。
【課題を解決するための手段】
【０００５】
本発明は、複数の内線電話機及び構内交換機を有する通信システムに接続される通信端末であって、複数種類の内線電話機の画像データを格納する記憶手段と、表示手段に表示する内線電話機の種類に基いて、記憶手段に格納された画像データのうちから一つの画像データを選択し、選択した画像データを記憶手段から取り出して表示手段に表示する制御手段とを有することを主要な特徴とする。
【発明の効果】
【０００６】
本発明の構内交換機は、制御する内線電話機の種類に応じた内線電話機の画像を表示手段に表示することができるという利点がある。
【発明を実施するための最良の形態】
【０００７】
本発明の実施のための第１の形態は、複数の内線電話機及び構内交換機を有する通信システムに接続される通信端末であって、複数種類の内線電話機の画像データを格納する記憶手段と、表示手段に表示する内線電話機の種類に基いて、記憶手段に格納された画像データのうちから一つの画像データを選択し、選択した画像データを記憶手段から取り出して表示手段に表示する制御手段とを有するものであり、制御する内線電話機の種類に応じた内線電話機の画像を表示手段に表示することができ、内線電話機の制御を極めて容易に行なうことができるという作用効果を有するものである。
【０００８】
本発明の実施のための第２の形態は、第１の形態に従属する形態であって、内線電話機の第１の表示部分及び／又は第２の表示部分に表示する文字を入力するための入力手段を有し、制御手段は、画像データを表示している状態で、入力手段により入力した文字を表示手段に表示し、更に入力手段に入力した文字を内線電話機の第１の表示部分及び／又は第２の表示部分に表示させるために文字のデータを送信することとしたものであり、制御する内線電話機の表示を制御することができるため、制御する内線電話機を使用する者に
対し容易にメッセージを送信することができるという作用効果を有するものである。特に、制御する内線電話機が通話中において、メッセージの通知を容易にする。
【０００９】
本発明の実施のための第３の形態は、第２の形態に従属する形態であって、制御手段は、入力手段により入力した文字を表示手段に表示した画像データの第１の表示部分及び／又は第２の表示部分に対応する部分に表示することとしたものであり、内線電話機の表示部分を選択して表示することができるという作用効果を有する。
【００１０】
本発明の実施のための第４の形態は、第２又は第３の形態に従属する形態であって、制御手段は、内線電話機において第２の表示部分に対応するボタンの操作が行なわれた旨の情報を受信する受信手段を有し、受信手段で内線電話機において第２の表示部分に対応するボタンの操作が行なわれた旨の情報を受信すると、表示手段にその旨を表示することとしたものであり、送信した表示部分に対応した応答を得ることができるという作用効果を有するものである。
【００１１】
本発明の実施のための第５の形態は、第２〜第４のいずれかの形態に従属する形態であって、制御手段は、通信装置と対になる内線電話機を、入力手段で入力する文字を表示させる内線電話機として選択することとしたものであり、通信端末と対になる内線電話機の種類に応じた内線電話機の画像を表示手段に表示することができ、入力手段で文字を入力できるから、内線電話機のボタンを操作せずに、通信端末の入力手段から操作ができるので、発着信の操作を容易に行なうことができるという作用効果を有するものである。
【００１２】
本発明の実施のための第６の形態は、第５の形態に従属する形態であって、制御手段は、入力手段で入力され、第１の表示部分に表示される文字を発信用電話番号として送信することとしたものであり、内線電話機のテンキーを操作せずに、通信端末から電話番号を入力することができるという作用効果を有するものである。
【００１３】
本発明の実施のための第７の形態は、第２〜第６のいずれかの形態に従属する形態であって、制御手段は、発信した内線電話機が通話中であると判定すると内線電話機を、入力手段で入力する文字を表示させる内線電話機として選択することとしたものであり、発信先の内線電話機に表示するメッセージをどのような部分に表示することができるかを通信端末において極めて容易に把握することができるという作用効果を有するものである。
【００１４】
本発明の実施のための第８の形態は、第２〜第７のいずれかの形態に従属する形態であって、制御手段は、構内交換機から前記内線電話機の画像データを受信し前記記憶手段に蓄積することとしたものであり、構内交換機機に接続される内線電話機の種類が追加された場合であっても、構内交換機から追加された画像データを受信して追加することができるという作用効果を有するものである。
【００１５】
本発明の実施のための第９の形態は、第２〜第８のいずれかの形態に従属する形態であって、制御手段は、構内交換機から追加の画像データの存在通知を受信すると、構内交換機に追加の画像データを要求することとしたものであり、構内交換機機に接続される内線電話機の種類が追加された場合であっても、構内交換機から追加された画像データを受信して追加することができるという作用効果を有するものである。
【００１６】
本発明の実施のための第１０の形態は、第２〜第９のいずれかの形態に従属する形態であって、ＬＡＮインタフェースを有し、制御手段は、ＬＡＮインタフェースを介して構内交換機と通信することとしたものであり、ＬＡＮを介して構内交換機と通信できるから、ＬＡＮに接続されたＰＣを通信端末として使用することができる作用効果を有するものである。
【００１７】
本発明の実施のための第１１の形態は、第２〜第１０のいずれかの形態に従属する形態であって、ＵＳＢインタフェースを有し、制御手段は、ＵＳＢインタフェースを介し内線電話機を経由して構内交換機と通信することとしたものであり、ＵＳＢを介し、内線電話機を経由して構内交換機と通信できるから、ＬＡＮの環境がない場合であっても、通信端末を構内交換機に接続することができる作用効果を有するものである。
【００１８】
本発明の実施のための第１２の形態は、第２〜第１１のいずれかの形態に従属する形態であって、制御手段は、画像データの色を変更する画像処理手段を有することを特徴とすることとしたものであり、利用者の好みに適した内線電話機画像を表示することができる作用効果を有するものである。
【００１９】
本発明の実施のための第１３の形態は、第２〜第１１のいずれかの形態に従属する形態であって、第２〜第１１のいずれかの形態に属する通信装置と、内線電話機及び構内交換機を備えた通信システムであり、上述の作用効果を有する通信システムを構成することができるという作用効果を有するものである。
【００２０】
本発明の実施のための第１４の形態は、複数の内線電話機、通信端末及び構内交換機を有する通信システムにおいて、内線電話機は、文字を表示させるための第１の表示部分又は第２の表示部分を有する表示手段と、第２の表示部分に表示された文字に対応する動作を要求するための入力手段と、入力手段への入力情報を構内交換機に送信する送信手段とを有し、通信端末は、それぞれ異なる外観を有する複数の内線電話機の画像データを格納する記憶手段と、内線電話機の第１の表示部分及び第２の表示部分に表示する文字を入力するための入力手段と、入力手段により入力する文字を表示させる内線電話機が選択されると、記憶手段から選択された内線電話機の画像データを表示すると共に、入力手段により入力した文字を画像データの第１の表示部分及び第２の表示部分に対応する部分に表示する表示手段と、入力手段に入力した文字を内線電話機の第１の表示部分及び第２の表示部分に表示させるために文字のデータを構内交換機に送信する送信手段と、内線電話機の入力手段への入力があった旨を表示手段に表示するために、構内交換機から、内線電話機の入力手段への入力情報を受信する受信手段とを有し、構内交換機は、通信端末から受信した文字のデータを内線電話機に送信すると共に、内線電話機の入力手段への入力情報を通信端末に送信する送信手段とを備えたことを特徴とする通信システムであり、通信端末と対になる内線電話機の種類に応じた内線電話機の画像を表示手段に表示することができ、その内線電話機の表示部分を選択して文字を表示することできるから、更にその表示部分に対応する応答を通信端末で取得することできるから、発信先の内線電話機が直接着信に応答しなくても、発信元の内線電話機が、発信先の内線電話機との間でメッセージのやり取りをすることができる作用効果を有するものである。
【００２１】
（実施の形態１）
以下、本発明の実施の形態について、各図に基づいて説明する。図１は、本発明の実施の形態１における通信システムの接続構成図であり、１は構内交換機、２ａ，２ｂは構内交換機１に接続される内線電話機であって内線電話機２と総称する。３ａ，３ｂは内線電話機２やＬＡＮ４に接続される通信端末であって、通信端末３と総称する。以下、具体的にこれらの装置の構成を説明する。
【００２２】
図２は、本発明の実施の形態１における構内交換機１の構成図である。構内交換機１は、内線Ｉ／Ｆ回路１０ａ，１０ｂ、ＬＡＮ−Ｉ／Ｆ１１、外線Ｉ／Ｆ１２、通話路スイッチ１３、メモリカードＩ／Ｆ１４、記憶部１５、制御部１６を有する。
【００２３】
内線Ｉ／Ｆ回路１０ａ，１０ｂは、内線電話機２を接続するためのＩ／Ｆ回路であって
Ｉ／Ｆ回路１０と総称し、２Ｂ＋Ｄのインタフェースにより内線電話機２と音声データ及び制御データの送受信を行なう。ＬＡＮ−Ｉ／Ｆ１１は、ＩＥＥＥ８０２．３規格に従ってＬＡＮ４に接続された通信端末３ａ等とデータの送受信を行なうためのＩ／Ｆ回路である。外線Ｉ／Ｆ１２は、公衆回線網（ＰＳＴＮ）と通信を行なうためのＩ／Ｆ回路である。通話スイッチ１３は、内線Ｉ／Ｆ１０間の音声信号の接続や、内線Ｉ／Ｆ１０と外線Ｉ／Ｆ１２との間の音声信号の接続などを行なう時分割スイッチである。
【００２４】
メモリカードＩ／Ｆ１４は、取外し可能なメモリカード（図示せず）１４ａからデータを読み込んだり、メモリカード１４ａにデータを書き込んだりするためのＩ／Ｆ回路である。なお、メモリカードＩ／Ｆ１４にはメモリカード１４ａがメモリカードＩ／Ｆ１４に取り付けられたことや取り外されたことを検出する検出回路を備えている。記憶部１５は、制御プログラムや各種設定情報のほか、内線情報テーブル１５ａや機能キーテーブル１５ｂを有する記憶部であり、ＲＡＭやＲＯＭ等が使用される。制御部１６は構内交換機１全体を制御する。
【００２５】
ここで、内線情報テーブル１５ａ及び機能キーテーブル１５ｂについて、図３及び図４を用いて具体的に説明する。図３は、本発明の実施の形態１における構内交換機の内線情報テーブル１５ａの例を示す図である。このテーブルには内線Ｉ／Ｆ１０毎に各種情報が格納されている。１５ａ１は内線Ｉ／Ｆ１０に接続されている内線電話機２を呼び出したりするための内線番号であり、内線Ｉ／Ｆ１０毎に割当てられる。１５ａ２は内線Ｉ／Ｆ１０に接続されている内線電話機２の種類を示す情報であり、内線Ｉ／Ｆ１０に内線電話機２が接続されたときに内線電話機２から送信される電話機機種コードを内線Ｉ／Ｆ１０を介して制御部１６が受信し、制御部１６によって内線情報テーブル１５ａに格納されるものである。従って、内線Ｉ／Ｆ１０に接続される内線電話機２の種類によって格納される情報も異なってくる。
【００２６】
１５ａ３は内線Ｉ／Ｆ１０に接続された内線電話機２とペア（対）になる通信端末３の接続位置を示す情報（通信端末情報）である。例えば、内線Ｉ／Ｆ１０ａには「１９２．１６８．０．４」が対応して内線情報テーブル１５ａに格納されており、内線Ｉ／Ｆ１０ａとペアになる通信端末３がＬＡＮ４上に接続され、そのＬＡＮ上のＩＰアドレスは「１９２．１６８．０．４」であることを示している。また、内線Ｉ／Ｆ１０ｂには「ＵＳＢ」が対応して内線情報テーブル１５ａに格納されており、内線Ｉ／Ｆ１０ｂとペアになる通信端末３が内線Ｉ／Ｆ１０ｂのＵＳＢ−Ｉ／Ｆに接続されている。一方、内線Ｉ／Ｆ１０ｃには「ｎｏｎｅ」が対応して内線情報テーブル１５ａに格納されており、内線Ｉ／Ｆ１０ｃとペアになる通信端末３は登録されていない。
【００２７】
ここで、通信端末情報１５ａ３は、ＬＡＮ上の通信端末３を内線電話機２とペアにするために、ＬＡＮ上の通信端末３若しくは内線電話機２からの設定操作により行なう。一方、内線Ｉ／Ｆ１０ｂのＵＳＢ−Ｉ／Ｆに通信端末３が接続されたときには、通信端末３から内線電話機２を通じて構内交換機１に通信端末３が接続された旨の情報を送信することにより、制御部１６がこれを受信して、内線情報テーブル１５ａに格納する。
【００２８】
１５ａ４は内線電話機２が内線Ｉ／Ｆ１０に接続されているかどうかを示す情報（内線電話機接続状態情報）である。この情報は、内線Ｉ／Ｆ１０に内線電話機２が接続されているときには「接続」、接続されていないときや内線電話機２と通信できないときには「未接続」の情報が内線情報テーブル１５ａに格納される。
【００２９】
図４は、本発明の実施の形態１における構内交換機の機能キーテーブル１５ｂの例を示す図である。このテーブルには内線電話機２の機能キー２６ｂ１〜２６ｂ３（後述する）が操作されたときに、内線電話機２の状態によって、どのような機能を動作させるかを示
す情報が格納されている。また、制御部１６は、機能キーテーブル１５ｂの情報に基いて、内線電話機２の表示部２４における第２の表示領域部分２４ｂ１〜２４ｂ３（後述する）の表示を行なう。
【００３０】
図４においては、内線電話機２が、待機時１５ｂ１、着信時１５ｂ２、通話時１５ｂ３、メッセージ時１５ｂ４それぞれの状態において、機能キー１〜３（２６ｂ１〜２６ｂ３）それぞれの機能情報が格納されている。
【００３１】
例えば、内線電話機２が待機時においては、機能キーテーブル１５ｂの１５ｂ１が制御部１６により参照される。そして制御部１６は、この機能キーテーブル１５ｂの１５ｂ１に基いて、内線電話機２の第２の表示領域部分２４ｂ１に「コントラスト」、第２の表示領域部分２４ｂ２に「ベル音量」、第２の表示領域部分２４ｂ３に「ＢＧＭ」の文字を表示する。また、内線電話機２の機能キー２６ｂ１が操作されたときは内線電話機２の表示部のコントラストの変更を、内線電話機２の機能キー２６ｂ２が操作されたときは内線電話機２のベル音量の変更を、内線電話機２の機能キー２６ｂ３が操作されたときは内線電話機２のＢＧＭのＯＮ／ＯＦＦの変更を行なう制御をする。
【００３２】
図５は、本発明の実施の形態１における内線電話機の構成図である。内線電話機２は、通信用Ｉ／Ｆ２０と、音声処理回路２１と、スピーカ２２と、マイク２３、表示部２４、ＵＳＢ−Ｉ／Ｆ２５、入力部２６と、制御部２７とを有する。
【００３３】
通信用Ｉ／Ｆ２０は、構内交換機１の内線Ｉ／Ｆ１０と接続するために２Ｂ＋Ｄの構成を有するＩ／Ｆ回路１０であり、後述の制御部２６が内線Ｉ／Ｆ１０と音声データ及び制御データの送受信を行なうために用いられる。音声処理回路２１は、構内交換機１から通信用Ｉ／Ｆ２０を介して受信した音声データをＤ／Ａ変換してスピーカ２２へ出力したり、マイク２３で検出した音声信号をＡ／Ｄ変換して通信用Ｉ／Ｆ２０へ出力する。
【００３４】
表示部２４は入力部２６から入力された情報を表示したり、構内交換機１から送信される情報を表示したりするために用いられる。なお、表示部２４としてＬＣＤなどが用いられる。
【００３５】
ＵＳＢ−Ｉ／Ｆ２５は、通信端末３と接続するためのＩ／Ｆ回路である。ＵＳＢ−Ｉ／Ｆ２５を介して、通信端末３から送信されるデータは、制御部２７によって通信用Ｉ／Ｆ２０を介して構内交換機１に送信される。又、構内交換機１から通信用Ｉ／Ｆ２０を介して送られるデータが、通信端末３宛てのデータであると制御部２７が判定したときには、制御部２７はＵＳＢ−Ｉ／Ｆ２５を介して、通信端末３へそのデータを送信する。
【００３６】
入力部２６は、ダイヤルキーや機能キーなどの各種キーである。なお、入力部２６は物理的なキーではなく、タッチパネルのようなキーであってもよく、これを含む。制御部２７は内線電話機２全体を制御する。
【００３７】
図６は本発明の実施の形態１における内線電話機の外観を示す図である。図６に示すように、表示部２４は、第１の表示領域部分２４ａと第２の表示領域部分２４ｂ１〜２４ｂ３を有する。また、入力部２６は、テンキー２６ａ、機能キー２６ｂ１〜３，２６ｃ，２６ｄを有する。
【００３８】
ここで、機能キー２６ｂ１〜３は、それぞれ第２の表示領域部分２４ｂ１〜２４ｂ３の表示内容に各々対応している。例えば、第２の表示領域部分２４ｂ１〜２４ｂ３に図６に示すような表示状態となっている場合、機能キー２６ｂ１を押下すると、表示部２４のコントラストを調整することができ、機能キー２６ｂ２を押下すると内線電話機２の着信音
量を調整することができ、機能キー２６ｂ３を押下するとＢＧＭのＯＮ／ＯＦＦの切替を行なうことができる。なお、図６の例では、内線電話機２が待機である状態のときを示している。
【００３９】
図７は、本発明の実施の形態１における通信端末の接続構成図であり、３０は通信用Ｉ／Ｆ、３１は音声処理部、３２は入力部、３３は表示部、３４は記憶部、３５は制御部である。以下、具体的にこれらの装置の構成を説明する。
【００４０】
通信用Ｉ／Ｆ３０は、構内交換機１と制御部３５との間で信号の送受信を行なうためのＩ／Ｆ回路であり、ＬＡＮ４を介して他の装置と通信を行なうためのＬＡＮ−Ｉ／Ｆ回路３０ａ、内線電話機２のＵＳＢ−Ｉ／Ｆ２５と接続して、内線電話機２を介して構内交換機１と通信するためのＵＳＢ−Ｉ／Ｆ３０ｂとを有する。音声処理部３１は通信用Ｉ／Ｆ部３０を介して構内交換機１と送受信する音声データを処理する回路であり、図示しないがマイクやスピーカを有する。入力部３２はキーボードやマウスなどから構成され、表示部３３はＬＣＤやディスプレーなどである。なお、この入力部３２はタッチパネルのようなものであってもよい。
【００４１】
記憶部３４は、制御プログラムや各種設定情報を記憶し、ＲＡＭやＲＯＭなどから構成される。また、記憶部３４は、内線電話機画像テーブル３４ａと入力領域情報テーブル３４ｂとを有する。内線電話機画像テーブル３４ａには、内線電話機２の正面外観の画像データを種類（機種）毎に格納する。
【００４２】
図８は本発明の実施の形態１における通信端末の内線電話機画像テーブルの例を示す図である。例えば、図８に示すような内線電話機画像テーブル３４ａとなっている場合、内線電話機２の種類がＡの場合には、Ａの種類を有する内線電話機２の外観画像１を有する。また、内線電話機２の種類がＣの場合には、Ｃの種類を有する内線電話機２の外観の画像３を有する。なお、内線電話機２の外観画像は、実写的なものである必要はなく、内線電話機の種別が区別できる程度のものでよい。
【００４３】
入力領域情報テーブル３４ｂには、内線電話機画像テーブル３４ａに格納された電話機画像データが表示部３３に表示された場合に、その表示画面に入力することができる入力領域のＸ，Ｙ座標を、内線電話機２の種類毎に格納している。図９は本発明の実施の形態１における通信端末の入力領域情報テーブルの例を示す図である。図９において、種類Ａの内線電話機２の入力領域１は、Ｘ；５０〜２００、Ｙ；１０１〜１２０であり、この領域に１行１８文字で２行の文字を入力することができることを表している。また、種類Ａの内線電話機２の入力領域２はＸ；６０〜８０、Ｙ；１２１〜１３０であり、この領域に１行５文字で１行の文字を入力することができることを表している。ここで、入力領域１は第１の表示領域部分２４ａに対応し、入力領域２〜４（入力領域４は図示していない）は第２の表示領域部分２４ｂ１〜２４ｂ３に各々対応する。また、「ｎｏｎｅ」は入力領域がないことを意味し、例えば種類Ｄの電話機は、入力領域１、２がないことを示している（すなわち、種類Ｄの内線電話機２は第１の表示領域部分２４ａ、第２の表示領域部分はない）。
【００４４】
以上のように構成された通信システムの動作について、以下具体的に説明する。
【００４５】
図１０は本発明の実施の形態１における通信端末の起動時の動作を示すフローチャート、図１１は本発明の実施の形態１における通信端末の電話機画像データ受信動作を示すフローチャート、図１２は本発明の実施の形態１における構内交換機の（通信端末の発信時の）動作を示すフローチャート、図１３は本発明の実施の形態１における構内交換機の動作を示すフローチャートである。
【００４６】
まず、図１０を用いて、通信端末の起動時の動作について説明する。
【００４７】
通信端末３において、電源ＯＮや通信用アプリケーション起動により起動操作が行なわれると、制御部３５は、内線情報テーブル１５ａのデータ（内線情報）を取得するために、通信用Ｉ／Ｆ３０を介して、構内交換機１に対して内線情報を要求する（Ｓ１）。構内交換機１の制御部１６は、内線Ｉ／Ｆ１０若しくはＬＡＮ−Ｉ／Ｆ１１を介して、通信端末３から内線情報の要求を受信すると、内線情報テーブル１５ａから情報を取り出して通信端末３へ取り出した情報を送信する。通信端末３の制御部３５は、通信用Ｉ／Ｆ３０を介して、構内交換機１から送信された内線情報を受信し、記憶部３４へ格納する。
【００４８】
次に通信端末３の制御部３５は、通信用Ｉ／Ｆ３０を介し構内交換機１に対して、自通信端末３と対になる内線電話機２（対応内線電話機）が存在するかどうかを問い合わせる。構内交換機１の制御部１６は、この問合せを内線Ｉ／Ｆ１０を介して受信した場合には、その内線Ｉ／Ｆに対応する内線番号を内線情報テーブル１５ａから取り出す。そして、この取り出した内線番号を通信端末３へ送信する。一方、問合せがＬＡＮ−Ｉ／Ｆ１１を介して受信した場合には、その問合せの発信元ＩＰアドレスに対応する内線番号を内線情報テーブル１５ａから取り出す。そして、この取り出した内線番号を通信端末３へ送信する。なお、問合せの発信元ＩＰアドレスに対応する内線番号を内線情報テーブル１５ａに存在しない場合には、自通信端末３と対になる内線電話機２が存在しない旨の情報を通信端末３へ送信する。
【００４９】
通信端末３の制御部３５は、構内交換機１から問合せに対する応答を受信すると、自通信端末３と対になる内線電話機２が存在するかどうかを判断する（Ｓ２）。制御部３５は、自通信端末３と対になる内線電話機２が存在すると判断した場合、構内交換機１から受信した内線番号の内線電話機２の種類を、記憶部３４に格納した内線情報に基いて判別する（Ｓ３）。
【００５０】
そして、判別した内線電話機の種類に対応する内線電話機画像データを内線電話機画像テーブル３４ａから取り出し（Ｓ４）、取り出した画像データを表示部３３に表示する（Ｓ５）。例えば、内線情報テーブル１５ａが図３のようになっており、又自通信端末３と対になる内線電話機の内線番号が１０３の場合、記憶部３４に格納された内線情報には内線番号１０３の電話機種類がＢとなっていることから、制御部３５は自通信端末３の電話機種類がＢであると判断し、内線電話機画像テーブル３４ａから電話機種類Ｂの内線電話機画像データ２を取り出して、表示部３３に表示する（図１４参照）。
【００５１】
Ｓ２において、制御部３５は対応内線電話機２が存在しないと判断すると、構内交換機１に対して、対応内線電話機を設定するための設定画面の表示を要求する（Ｓ６）。構内交換機１の制御部１６は設定画面表示の要求を受けると、通信端末３の表示部３３に表示するための設定画面を送信する。通信端末３の制御部３５は、構内交換機１から受信した設定画面を表示し、入力部３２の入力により対応内線電話機２の内線番号の入力があると、入力された内線番号を構内交換機１に送信する。構内交換機１の制御部１６は、通信端末３から送信された内線番号を内線情報テーブル１５ａに格納する（Ｓ７）とともに、内線電話機２と対になっている通信端末３に対して、内線情報テーブル１５ａが更新されたことを通知する。通信端末３の制御部３５は内線情報テーブルの更新通知を受けると、その通知に含まれる更新部分のデータを用いて、記憶部３５に記憶した内線情報を変更して更新する（Ｓ８）。
【００５２】
なお、通信端末３の表示部３３に表示された内線電話機画像には、各キー２６がＧＵＩ（グラフィカル・ユーザ・インタフェース）になるように構成される。従って、通信端末
３の対応内線電話機２を有するユーザは、内線電話機２ではなく、通信端末３の表示部３３を見ながら入力部３２からダイヤル番号の入力、オフフック・オンフック、機能キー２６ｂ１〜２６ｂ３の押下などを行なうことができる。入力部３２からの操作は、制御部３５で検出され、各操作に応じたコマンドが構内交換機１に送信される。通信端末３から送信されるコマンドは構内交換機１の制御部１６で解析され、コマンドに応じた制御が行なわれる。
【００５３】
次に、図１２は本発明の実施の形態１における通信端末の発信時の動作を示すフローチャート、図１３は本発明の実施の形態１における構内交換機の動作を示すフローチャートである。図１２及び図１３を用いて、通信端末若しくは対応する内線電話機の発信の際の動作について具体的に説明する。まず、構内交換機１が待機状態において、通信端末３の入力部３２を用いた操作、若しくは通信端末３に対応する内線電話機２の入力部２６の操作により、発信先の電話番号が入力され、オフフックキーの操作等により発信動作が行われる（Ｓ１２）。構内交換機１の制御部１６は、通信端末３若しくは対応内線電話機２からの発信動作を受信する（Ｓ４０）と、発信先の番号を検出する。
【００５４】
そして、発信先の番号が内線電話機２の番号である場合、内線情報テーブルから内線電話機２の接続状態が「接続」になっているか否かを確認する。そして、内線電話機が「接続」になっているときには、更にこの内線電話機２が待機中であるのか、通話中であるかの着信先の状態を判定する（Ｓ４１）。制御部１６は、発信先の内線電話機２が通話中であると判定した場合（Ｓ４２）、発信元の通信端末３に発信先内線電話機２が通話中である旨を通知する。また、対応内線電話機２には通話中である旨を表示させる要求を送信すると共に、ビジートーンを出力する（Ｓ４３）。
【００５５】
発信元の通信端末３の制御部３５は、構内交換機１から発信先内線電話機２が通話中である旨の通知を受信すると（Ｓ１３）、その通知に含まれる発信先内線電話機の電話番号に対応する内線電話機２の機種情報を記憶部３４に格納した内線情報に基いて判定し、判別した内線電話機の種類に応じた内線電話機画像データを内線電話機画像データテーブル３４ｂから取り出し、表示部３３に表示する（Ｓ１４）。
【００５６】
例えば、発信先内線電話機の内線番号が１０４の場合、通信端末３の制御部３５は、記憶部３４に記憶した内線情報から内線番号１０３の内線電話機の種類がＡであると判定し、内線電話機画像情報テーブル３４ａから内線電話機２の種類Ａに対応する内線電話機画像データ２を取り出し、表示部３３に表示する。図１５は、本発明の実施の形態１における通信端末のメッセージ送信時の第１の表示例を示す図であって、内線電話機２の種類Ａの内線電話機画像データ２の表示例を示している。ここで、制御部３５は、入力領域情報テーブル３４ｂに基いて、入力領域１〜４を構成する。
【００５７】
入力部３２から入力領域１〜４に文字が入力され、メッセージの送信ボタンが押下されると、制御部３５は、発信先へのメッセージ通知があると判定し（Ｓ１６）、メッセージ通知がある旨の情報と入力領域１〜４に入力された文字とを構内交換機１に通知する（Ｓ１７）。
【００５８】
構内交換機１の制御部１６は、通信端末３から発信先へのメッセージ通知を受信すると（Ｓ４４）、発信先内線電話機２の機能キー２６ｂ１〜３の機能を「通話時１５ｂ３」から「メッセージ１５ｂ４」へ変更する（Ｓ４５）。また、内線電話機２の第１の表示領域部分を通信端末３から送信されたデータへ変更する。ここで、発信先内線電話機２の機能キー２６ｂ１〜３の機能を「メッセージ１５ｂ４」への変更が行なわれると、制御部１６は、内線電話機２の第２の表示領域部分２４ｂ１〜２４ｂ３の「コントラスト」、「ベル音量」、「ＢＧＭ」の表示を、「メッセージ１」、「メッセージ２」、「メッセージ３」
の表示にするように内線電話機２への表示データを変更する（Ｓ４６）。なお、「メッセージ１」、「メッセージ２」、「メッセージ３」の部分の文字は、それぞれ通信端末３から送信された入力領域２〜４の文字である。また、内線電話機２の第１の表示領域部分は、通信端末３から送信された入力領域１の文字に変更される。
【００５９】
例えば、通信端末３で図１５のように入力領域１と入力領域２に文字が入力され、メッセージの送信ボタンが押下されると、制御部３５は、メッセージ通知がある旨の情報と入力領域１、２に入力された文字が構内交換機１に送信する。構内交換機１の制御部１６は、これらの情報を受信すると、発信先内線電話機２の機能キー２６ｂ１〜３の機能を「通話時１５ｂ３」から「メッセージ」へ変更し、内線電話機２の第２の表示領域部分２４ｂ１〜２４ｂ３の表示を「コントラスト」、「ベル音量」、「ＢＧＭ」から各々、「ＯＫ」、「（空白）」、「（空白）」の表示にするため、内線電話機２への表示データ（「ＯＫ」、「（空白）」、「（空白）」）を送信する。内線電話機２の制御部２７は、構内交換機１から送信される表示データに従って、表示部２４への表示を行なう。
【００６０】
その後、制御部１６は、所定時間（例えば、１分間）が経過するか否かを判定するために、タイマーのカウントを開始する（Ｓ４７）。タイマーにより所定時間が経過する前に（Ｓ５０）、発信先内線電話機２の機能キー２６ｂ１〜２６ｂ３が押下されたことを制御部１６が検出すると、その押下された機能キー情報を通信端末３へ通知する。そして、発信先内線電話機２の機能キー２６ｂ１〜３に割り当てる機能を機能テーブル（図４）を参照して「メッセージ１５ｂ４」から「通話時１５ｂ３」へ変更する（Ｓ４９）。
【００６１】
所定期間内（Ｓ１８、Ｓ２１）に、構内交換機１から機能キー押下情報が通知されると（Ｓ１９）、制御部３５は、表示部３３中、機能キー押下情報に対応する入力領域に表示された文字を強調したり、その領域の背景色を変更したりして、発信先内線電話機２が押下した機能キーの情報を表示する。
【００６２】
その後、所定期間（例えば、５秒）経過後、表示部３３に表示する内線電話機画像データを発信内線電話機２の種類Ａから対応内線電話機２の種類Ｂへ変更する（Ｓ２０）。一方、構内交換機１から機能キー押下情報が通知されずに所定期間経過した場合、表示部３３に表示する内線電話機画像データを発信内線電話機の種類Ａから対応内線電話機２の種類Ｂへ変更する（Ｓ２２）。なお、Ｓ２２で対応内線電話機２の種類Ｂへ変更した後に、構内交換機１から機能キー押下情報が通知された場合、発信内線電話機２の種類Ａの画像と押下された機能キーを報知する画面をポップアップするように制御部３５により制御される。
【００６３】
Ｓ４８でタイマーにより所定時間が経過する前に、発信先内線電話機２の機能キー２６ｂ１〜２６ｂ３が押下されたことを制御部１６が検出しない場合、発信先内線電話機２の機能キー２６ｂ１〜２６ｂ３に割り当てる機能を機能テーブル（図４）を参照して「メッセージ１５ｂ４」から「通話時１５ｂ３」へ変更する（Ｓ５１）。
【００６４】
なお、発信先内線電話機に対応する内線電話機画像データを内線電話機画像データテーブル３４ｂから取り出し、表示部３３に表示する場合、電話機画面中に入力領域を設けずに、図１６のように内線電話機画面の横などに入力領域を設けることもできる。図１６は本発明の実施の形態１における通信端末のメッセージ送信時の第２の表示例を示す図である。
【００６５】
また、制御部３５に内線電話機画像データ着色変更手段（図示せず）を設け、入力部３２からの操作により内線電話機画像データを表示する際に、内線電話機画像データを記憶部から取り出した後、着色変更手段により入力部３２で指定された色へ内線電話機画像デ
ータの色を変更するようにしてもよい。この場合、内線番号毎や内線電話機２の種類ごとなどに分けて色の変更を行なう（入力部３２で操作された配色の情報は記憶部３４に記憶しておく）ことが可能である。
【００６６】
次に、図１１を用いて、通信端末の内線電話機画像テーブルに追加の画像データを追加する動作について説明する。通信端末３には、デフォルト状態で、内線電話機画像テーブル３４ａに内線電話機２の画像データが格納されているが、内線電話機２の種類が増えた場合には、内線電話機画像テーブル３４ａを更新する必要性が生じる。
【００６７】
まず、通信端末３は待機状態において、構内交換機１の制御部１６から追加画像データがある旨の通知（画像データ番号及び内線電話機の種類情報を含む）を送信されると、制御部３５はその通知を受信する（Ｓ３０）。制御部３５は、その通知を受信すると、構内交換機１に追加された画像データを送信するように画像データ名若しくは内線電話機の種類情報を指定して要求する（Ｓ３１）。構内交換機１の制御部１６は、通信端末３から追加画像データの送信要求を受けると、指定された画像データをメモリカード１４ａから取り出して、通信端末３に送信する。通信端末３は画像データを受信すると、内線電話機の種類と画像データを関連付けて内線電話機画像テーブル３４ａに格納する（Ｓ３２）。
【００６８】
なお、構内交換機１の制御部１６からの追加画像データの通知は、メモリカードＩ／Ｆ１４にメモリカードが挿入されたとき、制御部１６が、メモリカードに内線電話機画像データが存在すること検出し、メモリカードに記憶されている画像データ番号及び内線電話機の種類情報を取り出すことにより行なわれる。なお、通信端末３に格納される内線電話機画像データを通信端末３からの通知で制御部１６が予め認識しておき、制御部１６は、その内容と異なった画像データがメモリカード１４ａに存在するときにのみ通信端末３に通知するようにしてもよい。
【産業上の利用可能性】
【００６９】
構内交換機に接続される内線電話機に対応する画像データを表示する通信端末に関し、制御する内線電話機の種類に応じた内線電話機の画像を表示手段に表示することができ、操作が容易な通信端末及び通信システムを提供することできる。
【図面の簡単な説明】
【００７０】
【図１】本発明の実施の形態１における通信システムの接続構成図
【図２】本発明の実施の形態１における構内交換機の構成図
【図３】本発明の実施の形態１における構内交換機の内線情報テーブルの例を示す図
【図４】本発明の実施の形態１における構内交換機の機能キーテーブルの例を示す図
【図５】本発明の実施の形態１における内線電話機の構成図
【図６】本発明の実施の形態１における内線電話機の外観を示す図
【図７】本発明の実施の形態１における通信端末の接続構成図
【図８】本発明の実施の形態１における通信端末の内線電話機画像テーブルの例を示す図
【図９】本発明の実施の形態１における通信端末の入力領域情報テーブルの例を示す図
【図１０】本発明の実施の形態１における通信端末の起動時の動作を示すフローチャート
【図１１】本発明の実施の形態１における通信端末の電話機画像データ受信動作を示すフローチャート
【図１２】本発明の実施の形態１における通信端末の発信時の動作を示すフローチャート
【図１３】本発明の実施の形態１における構内交換機の動作を示すフローチャート
【図１４】本発明の実施の形態１における通信端末の起動時の表示例を示す図
【図１５】本発明の実施の形態１における通信端末のメッセージ送信時の第１の表示例を示す図
【図１６】本発明の実施の形態１における通信端末のメッセージ送信時の第２の表示例を示す図
【符号の説明】
【００７１】
１    構内交換機
２ａ，２ｂ    内線電話機
３ａ，３ｂ    通信端末
４    ローカルエリアネットワーク（ＬＡＮ）
１０ａ，１０ｂ    内線Ｉ／Ｆ
１１    ＬＡＮ−Ｉ／Ｆ
１２    外線Ｉ／Ｆ
１３    通話路スイッチ
１４    メモリカードＩ／Ｆ
１５    記憶部
１５ａ    内線情報テーブル
１５ｂ    機能キーテーブル
１６    制御部
２０    通信用Ｉ／Ｆ
２１    音声処理回路
２２    スピーカ
２３    マイク
２４    表示部
２４ａ    第１の表示領域部分
２４ｂ１〜２４ｂ３    第２の表示領域部分
２５    ＵＳＢ−Ｉ／Ｆ
２６    入力部
２６ｂ１〜２６ｂ３    機能キー
２７    制御部
３０    通信用Ｉ／Ｆ
３０ａ    ＬＡＮ−Ｉ／Ｆ
３０ｂ    ＵＳＢ−Ｉ／Ｆ
３１    音声処理部
３２    入力部
３３    表示部
３４    記憶部
３４ａ    内線電話機画像テーブル
３４ｂ    入力領域情報テーブル
３５    制御部
【図１】
2005269032.tif 000003
【図２】
2005269032.tif 000004
【図３】
2005269032.tif 000005
【図４】
2005269032.tif 000006
【図５】
2005269032.tif 000007
【図６】
2005269032.tif 000008
【図７】
2005269032.tif 000009
【図８】
2005269032.tif 000010
【図９】
2005269032.tif 000011
【図１０】
2005269032.tif 000012
【図１１】
2005269032.tif 000013
【図１２】
2005269032.tif 000014
【図１３】
2005269032.tif 000015
【図１４】
2005269032.tif 000016
【図１５】
2005269032.tif 000017
【図１６】
2005269032.tif 000018